(57)【要約】【課題】回転仕切体を移動させる駆動装置を扉に設けられた操作体により操作するものにおいて、操作体と、当該操作体が着脱可能とされるキャッチャ部との係合を確実にする。【解決手段】筐体１０１の開口部１０１ｘを開閉する対をなす第一扉２及び第二扉３と、第一扉２に設けられた回転仕切体４と、筐体１０１に設けられ、回転仕切体４を回転移動させるための駆動装置５と、第二扉３に設けられ、回転仕切体４を回転させるべく駆動装置５を操作する操作体６とを備え、駆動装置５は、操作体６が着脱可能とされた凹部５１Ｍを有するキャッチャ部５１と、回転仕切体４に当接可能に設けられた当接部５２と、キャッチャ部５１及び当接部５２の間に介在し、キャッチャ部５１が回転可能に連結されたリンクアーム５３とを有する。【選択図】図９
2018054177.tif 000002
【特許請求の範囲】
【請求項１】
前面に開口部を有する筐体と、
前記筐体の開口部を開閉する対をなす第一扉及び第二扉と、
前記第一扉に回転可能に設けられた回転仕切体と、
前記筐体に設けられ、前記回転仕切体を回転移動させるための駆動装置と、
前記第二扉に設けられ、前記回転仕切体を回転させるべく前記駆動装置を操作する操作体とを備え、
前記駆動装置は、
前記操作体が着脱可能とされた凹部を有するキャッチャ部と、
前記回転仕切体に当接可能に設けられた当接部と、
前記キャッチャ部及び前記当接部の間に介在し、前記キャッチャ部が回転可能に連結されたリンクアームとを有する冷蔵庫。
【請求項２】
前記回転仕切体は、閉じた状態にある前記第一扉及び前記第二扉の間を閉塞するシール位置及びそのシール位置から退避した退避位置の間を回転移動するものである、請求項１記載の冷蔵庫。
【請求項３】
前記第二扉が閉じられる際に前記操作体が前記キャッチャ部を押すことにより、前記リンクアームによって前記当接部が前記回転仕切体を前記退避位置から前記シール位置に移動させるように構成されている、請求項２記載の冷蔵庫。
【請求項４】
前記操作体の移動に伴う前記キャッチャ部の移動に応じて、前記キャッチャ部が前記リンクアームに対して回転するものである、請求項１乃至３の何れか一項に記載の冷蔵庫。
【請求項５】
前記キャッチャ部は、前記操作体に押されて移動するに連れて、前記凹部の開口方向が前記操作体の移動方向から逸れるように回転するものである、請求項４記載の冷蔵庫。
【請求項６】
前記駆動装置は、前記キャッチャ部とともに回転するスイングアームと、前記スイングアームをガイドして前記キャッチャ部を前記リンクアームに対して回転させるガイド部とを備えている、請求項４又は５記載の冷蔵庫。
【請求項７】
前記駆動装置は、前記リンクアームを収容するケースを備えており、
前記ケースには、前記キャッチャ部が外部に延出し、前記キャッチャ部の移動を案内するキャッチャ部案内孔と、前記当接部が外部に延出し、前記当接部の移動を案内する当接部案内孔とが形成されており、
前記リンクアームは、前記キャッチャ部案内孔及び前記当接部案内孔を覆うカバー部を有している、請求項１乃至６の何れか一項に記載の冷蔵庫。
【請求項８】
前記リンクアームは、前記当接部が前記当接部案内孔を移動するのに伴って前記当接部がスライド移動するスライド長孔を有している、請求項１乃至７の何れか一項に記載の冷蔵庫。
【請求項９】
前記当接部は、前記スライド長孔を覆うフランジ部を有している、請求項８記載の冷蔵庫。
【請求項１０】
前記当接部は、金属製の内芯要素と、当該内芯要素の外側に設けられた樹脂製の外芯要素とを有している、請求項１乃至９の何れか一項に記載の冷蔵庫。
【請求項１１】
前記キャッチャ部は、前記凹部の両側壁部の開放側前方に形成された傾斜案内面と、当該傾斜案内面の後方に突没可能に設けられた係止爪と、当該係止爪を突出する方向に付勢する弾性体とを備えている、請求項１乃至１０の何れか一項に記載の冷蔵庫。
【請求項１２】
前記操作体は、前記第二扉の回転方向に直交する方向に移動可能に設けられている、請求項１乃至１１の何れか一項に記載の冷蔵庫。
【請求項１３】
前記回転仕切体の上端部に、前記当接部が移動することにより前記回転仕切体を移動させるカム溝が形成されており、
前記回転仕切体は、前記カム溝を形成する庫内側壁部を構成するブロック体を有し、
前記ブロック体は、その庫内側側面が傾斜面とされており、前記当接部が前記傾斜面と接触することにより下方に移動可能に構成されている、請求項１乃至１２の何れか一項に記載の冷蔵庫。
【発明の詳細な説明】
【技術分野】
【０００１】
本発明は、冷蔵庫に関するものである。
【背景技術】
【０００２】
従来の観音開き式冷蔵庫は、冷蔵庫本体の開口部の左右両側にそれぞれの一端部が支持された一対の扉と、一方の扉の他端部に回転可能に設けられて、一対の扉が閉じた状態で、一対の扉の間に生じる隙間を閉塞する仕切体とを備えている。
【０００３】
この回転仕切体を扉の開閉に合わせて操作するものとして、特許文献１に示す冷蔵庫が考えられている。
この冷蔵庫は、第一扉に設けられ、閉じた状態にある第一扉及び第二扉の間を閉塞するシール位置及びそのシール位置から退避した退避位置の間を回転可能とされた回転仕切体と、筐体に設けられ、回転仕切体をシール位置及び退避位置の間で移動させるための駆動装置と、第二扉に設けられ、回転仕切体を回転させるべく駆動装置を操作する操作体とを備えている。
【０００４】
具体的に駆動装置は、所定の回転中心で回転可能に設けられた連動レバーと、当該連動レバーの一端に設けられ、第二扉の操作体に当接する作用部と、前記連動レバーの他端に設けられ、回転仕切体を移動させる駆動ピンとを備えている。そして、この冷蔵庫では、回転仕切体の上部にはカム溝が形成されており、作用部を介した連動レバーの回転に伴って、駆動ピンが回転仕切体のカム溝を移動することにより、回転仕切体がシール位置及び退避位置の間で移動するように構成されている。
【先行技術文献】
【特許文献】
【０００５】
【特許文献１】特開２００５−１５６１０６号公報
【発明の概要】
【発明が解決しようとする課題】
【０００６】
しかしながら、上記の駆動装置では、連動レバーの一端に平板状の作用部が一体形成されているので、連動レバーの回転に伴って操作体に対する作用部の角度が変化する。そうすると、各部品の取り付けのばらつきや、操作体が設けられた扉の食品収納負荷の変化などにより、連動レバーが回転する途中で操作体が作用部から外れてしまうという問題がある。
【０００７】
一方で、本願発明者は、操作体が当接する作用部の形状を工夫することによって、操作体が作用部に当接して連動レバーが回転する途中で操作体が作用部から外れてしまうという問題を解決することを試みている。具体的に本願発明者は、作用部として操作体が入り込む凹部を有するキャッチャ部を採用することによって、操作体がキャッチャ部から外れにくくすることを考えている。
【０００８】
そこで本発明は、上記問題点を解決すべくなされたものであり、駆動装置にキャッチャ部を採用するとともに、キャッチャ部及び操作体の係合を確実にすることを主たる課題とするものである。
【課題を解決するための手段】
【０００９】
すなわち本発明に係る冷蔵庫は、前面に開口部を有する筐体と、前記筐体の開口部を開閉する対をなす第一扉及び第二扉と、前記第一扉に回転可能に設けられた回転仕切体と、前記筐体に設けられ、前記回転仕切体を回転移動させるための駆動装置と、前記第二扉に設けられ、前記回転仕切体を回転させるべく前記駆動装置を操作する操作体とを備え、前記駆動装置は、前記操作体が着脱可能とされた凹部を有するキャッチャ部と、前記回転仕切体に当接可能に設けられた当接部と、前記キャッチャ部及び前記当接部の間に介在し、前記キャッチャ部が回転可能に連結されたリンクアームとを有することを特徴とする。
【００１０】
このような冷蔵庫であれば、操作体が着脱可能とされた凹部を有するキャッチャ部がリンクアームに回転可能に連結されているので、キャッチャ部及び操作体の係合を確実にすることができ、各部品の取り付けのばらつきや、操作体が設けられた扉の食品収納負荷の変化などにより、リンクアームが回転する途中で操作体がキャッチャ部から外れてしまうことを防止することができる。
【００１１】
回転仕切体は、閉じた状態にある前記第一扉及び前記第二扉の間を閉塞するシール位置及びそのシール位置から退避した退避位置の間を回転移動するものであることから、本発明の冷蔵庫は、前記第二扉が閉じられる際に前記操作体が前記キャッチャ部を押すことにより、前記リンクアームによって前記当接部が前記回転仕切体を前記退避位置から前記シール位置に移動させるように構成されている。
【００１２】
そして、本発明においては、前記操作体の移動に伴う前記キャッチャ部の移動に応じて、前記キャッチャ部が前記リンクアームに対して回転するものであることが望ましい。
この構成であれば、操作体の移動に伴うキャッチャ部の移動に連動して、キャッチャ部がリンクアームに対して回転するので、キャッチャ部及び操作体の係合を一層確実にすることができ、各部品の取り付けのばらつきや、操作体が設けられた扉の食品収納負荷の変化などにより、リンクアームが回転する途中で操作体がキャッチャ部から外れてしまうことを防止することができる。
【００１３】
キャッチャ部の具体的な回転の態様としては、前記キャッチャ部は、前記操作体に押されて移動するに連れて、前記凹部の開口方向が前記操作体の移動方向から逸れるように回転するものであることが考えられる。ここで、キャッチャ部及び操作体の係合を一層確実にするためには、操作体の移動に伴う前記キャッチャ部の移動に連動して、前記キャッチャ部が前記リンクアームに対してリンクアームの回転方向に更に回転することが考えられる。
【００１４】
キャッチャ部をリンクアームに対して回転させるための具体的な実施の態様としては、前記駆動装置は、前記キャッチャ部とともに回転するスイングアームと、前記スイングアームをガイドして前記キャッチャ部を前記リンクアームに対して回転させるガイド部とを備えていることが望ましい。
【００１５】
前記駆動装置は、前記リンクアームを収容するケースを備えており、前記ケースには、前記当接部が外部に延出し、前記キャッチャ部が外部に延出し、前記キャッチャ部の移動を案内するキャッチャ部案内孔と、前記当接部の移動を案内する当接部案内孔とが形成された構成とすることが考えられる。
この場合において、駆動装置の外観の見栄えを向上するとともに、指等が接触して生じるケガを防止して安全性を向上するためには、前記リンクアームは、前記キャッチャ部案内孔及び前記当接部案内孔を覆うカバー部を有していることが望ましい。また、リンクアームにカバー部を設けることによって、駆動装置の構成を簡単にできるという効果も奏する。
【００１６】
前記リンクアームは、前記当接部が前記当接部案内孔を移動するのに伴って前記当接部がスライド移動するスライド長孔を有していることが望ましい。
この構成であれば、キャッチャ部の回転中心と当接部の回転中心とを異ならせることができ、回転仕切体及び駆動装置の設計や配置の自由度を大きくすることができる。
【００１７】
駆動装置の外観の見栄えを向上するとともに、指等が接触して生じるケガを防止して安全性を向上するためには、前記当接部は、前記スライド長孔を覆うフランジ部を有していることが望ましい。
【００１８】
前記当接部は、金属製の内芯要素と、当該内芯要素の外側に設けられた樹脂製の外芯要素とを有していることが望ましい。
この構成であれば、金属製の内芯要素により当接部の衝撃強度を確保しつつ、樹脂製の外芯要素により当接部が移動することにより生じる作動音を低減することができる。また、樹脂製の外芯要素を庫内側の樹脂部品の色と同色にすることにより見栄えを良くすることができる。
【００１９】
前記キャッチャ部は、前記凹部の両側壁部の開放側前方に形成された傾斜案内面と、当該傾斜案内面の後方に突没可能に設けられた係止爪と、当該係止爪を突出する方向に付勢する弾性体とを備えていることが望ましい。
この構成であれば、キャッチャ部と操作体との係合力を増すことができ、第二扉を速く開閉させた場合であっても、キャッチャ部及び操作体の係合が確実となり信頼性を向上させることができる。
【００２０】
前記操作体は、前記第二扉の回転方向に直交する方向に移動可能に設けられていることが望ましい。
この構成であれば、キャッチャ部と操作体との左右方向の寸法変化にも追従した確実な係合を可能にすることができる。
【００２１】
駆動装置の当接部による回転仕切体の移動を確実にするためには、前記回転仕切体の上端部に、前記当接部が移動することにより前記回転仕切体を移動させるカム溝が形成された構成とすることが考えられる。
このとき、回転仕切体が不意又は故意にシール位置にある状態で閉じられた場合、当接部は回転仕切体のカム溝を形成する庫内側壁部に当たって第二扉が閉まらないという問題が生じ得る。
この問題を解消するためには、前記回転仕切体は、前記カム溝を形成する庫内側壁部を構成するブロック体を有しており、前記ブロック体は、その庫内側側面が傾斜面とされており、前記当接部が前記傾斜面と接触することにより下方に移動可能に構成されていることが望ましい。
この構成であれば、回転仕切体が不意又は故意にシール位置にある状態で閉じられた場合であっても、ブロック体が下方に移動することにより、当接部をカム溝に収めることができる。
【発明の効果】
【００２２】
本発明によれば、操作体が着脱可能とされた凹部を有するキャッチャ部がリンクアームに回転可能に連結されているので、キャッチャ部及び操作体の係合を確実にすることができ、各部品の取り付けのばらつきや、操作体が設けられた扉の食品収納負荷の変化などにより、リンクアームが回転する途中で操作体がキャッチャ部から外れてしまうことを防止することができる。
【図面の簡単な説明】
【００２３】
【図１】本実施形態における冷蔵庫の扉開放状態を示す模式図である。
【図２】同実施形態の回転仕切体のシール位置Ｐ及び退避位置Ｑを示す模式図である。
【図３】同実施形態の駆動装置の分解斜視図である。
【図４】同実施形態の上側ケース要素を取り外した状態の前方位置における、キャッチャ部、当接部及びリンクアームの構成を示す模式図である。
【図５】同実施形態の上側ケース要素を取り外した状態の後方位置における、キャッチャ部、当接部及びリンクアームの構成を示す模式図である。
【図６】同実施形態のキャッチャ部の構成を示す断面図である。
【図７】同実施形態の回転仕切体のカム溝を示す斜視図である。
【図８】同実施形態の前方位置におけるスイングアーム及びガイド部の構成を示す模式図である。
【図９】同実施形態の後方位置におけるスイングアーム及びガイド部の構成を示す模式図である。
【図１０】同実施形態の操作体及び突出部の構成を示す断面図である。
【図１１】同実施形態の回転仕切体の上端部の構成を示す分解斜視図である。
【図１２】同実施形態のブロック体に当接部が接触した状態及びブロック体が下方に移動した状態を示す図である。
【発明を実施するための形態】
【００２４】
以下に本発明の一実施形態について図面を参照して説明する。
【００２５】
本実施形態の冷蔵庫１００は、図１に示すように、前面に開口部１０１ｘを有する筐体１０１と、開口部１０１ｘの左右両側にそれぞれの一端部が支持されて、開口部１０１ｘを開閉する対をなす第一扉２及び第二扉３と、第一扉２に設けられ、第一扉２及び第二扉３が閉じた状態で、第一扉２及び第二扉３の間の他端部の間に生じる隙間を閉塞する回転仕切体４と、筐体１０１に設けられ、回転仕切体４を駆動するための駆動装置５と、第二扉３に設けられ、回転仕切体４を回転させるべく駆動装置５を操作する操作体６とを備えている。
【００２６】
回転仕切体４は、第一扉２の他端部において上下方向に沿って回転可能に設けられたものであり、図２に示すように、閉じた状態にある第一扉２及び第二扉３の間を閉塞するシール位置Ｐ及びそのシール位置Ｐから退避した退避位置Ｑの間を移動する。
【００２７】
シール位置Ｐは、回転仕切体４が第一扉２及び第二扉３それぞれの他端部における庫内側内面に設けられたガスケット（不図示）に密着する位置である。また、退避位置Ｑは、シール位置Ｐから庫内側に例えば９０度回転した位置であり、第一扉２の正面視において回転仕切体４が第一扉２の他端部に隠れて見えない位置である。
【００２８】
駆動装置５は、回転仕切体４をシール位置Ｐ及び退避位置Ｑの間で移動させるためのものであり、筐体１０１の開口部１０１ｘを構成する上壁部内面に設けられている（図１参照）。
【００２９】
その具体的な構成は、図３〜図５に示すように、操作体６が着脱可能とされた凹部５１Ｍを有するキャッチャ部５１と、回転仕切体４に当接可能に設けられた当接部５２と、キャッチャ部５１及び当接部５２の間に介在し、キャッチャ部５１が回転可能に連結されるとともに、キャッチャ部５１の移動及び当接部５２の移動を連動させるリンクアーム５３とを有している。
【００３０】
キャッチャ部５１は、図６に示すように、上下方向に延びる操作体６の上端部が着脱可能とされた凹部５１Ｍを有している。そして、その凹部５１Ｍの両側壁部の開放側前方には、操作体６が凹部５１Ｍに入りやすくするための一対の傾斜案内面５１１が形成されている。この一対の傾斜案内面５１１は、開放側に行くに従って徐々に拡開するように傾斜している。また、キャッチャ部５１において傾斜案内面５１１の後方には、操作体６との係合力を高めるための係止爪５１２が突没可能に設けられている。この係止爪５１２は、例えば板ばね等の弾性体５１３により突出する方向に付勢されている。
【００３１】
当接部５２は、図３に示すように、金属製の内芯要素５２１と、当該内芯要素５２１の外側に設けられた樹脂製の外芯要素５２２とを有しており、樹脂製の外芯要素５２２に金属製の内芯要素５２１を挿嵌することより構成されている。この当接部５２は、回転仕切体４の上端部に形成されたカム溝４Ｍ（図７参照）に沿って移動するものである。
【００３２】
リンクアーム５３は、特に図４及び図５に示すように、所定の回転中心Ｃ周りに回転可能に設けられており、当該回転中心Ｃから一方に延びるアーム部分５３ａにキャッチャ部５１が回転可能に設けられるとともに、回転中心Ｃから他方に延びるアーム部分５３ｂに当接部５２が設けられている。
【００３３】
このリンクアーム５３は、扁平形状をなすケース５４に収容されている。なお、ケース５４は、上側ケース要素５４ａ及び下側ケース要素５４ｂを備えている（図３参照）。ケース５４の下側ケース要素５４ｂには、キャッチャ部５１が外部に延出し、キャッチャ部５１の移動を案内するキャッチャ部案内孔５４１と、当接部５２が外部に延出し、当接部５２の移動を案内する当接部案内孔５４２とが形成されている。本実施形態のキャッチャ部案内孔５４１は、リンクアーム５３の回転中心Ｃを中心とする円弧状をなすものである。また、当接部案内孔５４２は、回転仕切体４のカム溝４Ｍとの関係で、回転仕切体４がシール位置Ｐ及び退避位置Ｑの間を移動するような形状となされている。
【００３４】
そして、リンクアーム５３は、図４及び図５に示すように、キャッチャ部案内孔５４１及び当接部案内孔５４２を覆う第１、第２カバー部５３１ａ、５３１ｂを有している。第１カバー部５３１ａは、キャッチャ部５１が操作体６に押される前の状態において、キャッチャ部案内孔５４１を上方から覆う形状とされている。また、第２カバー部５３１ｂは、リンクアーム５３の回転位置に関わらず、当接部案内孔５４２を上方から覆う形状とされている。
【００３５】
ここで、リンクアーム５３の他方のアーム部分５３ｂには、リンクアーム５３の回転に伴って当接部５２が当接部案内孔５４２を移動するために、当接部５２がスライド移動するスライド長孔５３ｂ１が形成されている。
【００３６】
このように構成されたリンクアーム５３は、ケース５４に対して回転中心Ｃ周りに、キャッチャ部５１が前方に位置する前方位置Ｒ（図４参照）と、キャッチャ部５１が操作体６により押されることにより後方に位置する後方位置Ｓ（図５参照）との間で回転する。
【００３７】
前方位置Ｒは、キャッチャ部５１に操作体６が当接する前の位置である。この前方位置Ｒにおいて、第二扉３が閉じられると、退避位置Ｑにある回転仕切体４のカム溝４Ｍに当接部５２が入る。一方、後方位置Ｓは、第二扉３が閉じられて操作体６によりキャッチャ部５１が押された状態であり、当接部５２により回転仕切体４が移動されてシール位置Ｐにある状態である。
【００３８】
このリンクアーム５３は、キャッチャ部５１が操作体６に押されることにより、前方位置Ｒから後方位置Ｓに移動して、当接部５２が回転仕切体４を退避位置Ｑからシール位置Ｐに移動させる。また、リンクアーム５３は、コイルばね等のばね部材５５により、前方位置Ｒに向かって付勢されており、操作体６がキャッチャ部５１を押さない状態では、リンクアーム５３は前方位置Ｒにある。
【００３９】
このとき本実施形態では、操作体６の移動に伴うキャッチャ部５１の移動に応じて、キャッチャ部５１がリンクアーム５３に対して回転するように構成されている（図４及び図５参照）。具体的には、キャッチャ部５１は、操作体６に押されて移動するに連れて、凹部５１Ｍの開口方向が操作体６の移動方向から逸れるように回転する。より詳細には、操作体６の移動に伴うキャッチャ部５１の移動に連動して、キャッチャ部５１がリンクアーム５３に対してリンクアーム５３の回転方向に更に回転する。
【００４０】
この構成を実現すべく本実施形態の駆動装置５は、図３、図８及び図９に示すように、キャッチャ部５１とともに回転するスイングアーム５６と、リンクアーム５３が回転するのに伴ってスイングアーム５６をガイドしてキャッチャ部５１をリンクアーム５３に対して回転させるガイド部５７とを備えている。
【００４１】
スイングアーム５６は、キャッチャ部５１に例えばネジ５８などにより固定されている。ここで、キャッチャ部５１及びスイングアーム５６は、リンクアーム５３に対して回転自在に設けられている。つまり、キャッチャ部５１及びスイングアーム５６は、リンクアーム５３の一方のアーム部分５３ａに形成された長孔５３ａ１を介してアーム部分５３ａを挟むように連結されている。
【００４２】
ガイド部５７は、ケース５４の上側ケース要素５４ａに形成されており、スイングアーム５６に接触することによりスイングアーム５６を案内する突起（リブ）である。
【００４３】
そして、リンクアーム５３が前方位置Ｒから後方位置Ｓに移動するのに連れて、スイングアーム５６がガイド部５７に接触して、キャッチャ部５１をリンクアーム５３の回転よりも更に回転させる。つまり、リンクアーム５３の前方位置Ｒからの回転角度よりも、キャッチャ部５１の回転角度は大きくなる。
【００４４】
次に、第二扉３に設けられた操作体６について説明する。
操作体６は、図１に示すように、第二扉３の庫内側内面から庫内側に突出して設けられた突出部３１の上面に上下方向（鉛直方向）に沿って設けられている。ここで、操作体６は、突出部３１に対して第二扉３の回転方向に直交する方向（左右方向）に移動可能に設けられている。
【００４５】
具体的に操作体６は、図１０に示すように、突出部３１に対して左右方向に移動可能に設けられた可動部６１と、当該可動部６１に締結ネジ６２により固定されるシャフト部６３とを有している。なお、可動部６１は、突出部３１の内部に設けられており、突出部３１の左右両内壁に対してばね６４により付勢されて位置決めされている。本実施形態のばね６４は、可動部６１に一体形成された樹脂ばねである。
【００４６】
次に回転仕切体４の構成について説明する。
回転仕切体４の上端部には、図７に示すように、当接部５２が移動することによりシール位置Ｐ及び退避位置Ｑの間を移動させるカム溝４Ｍが形成されている。この回転仕切体４は、第一扉２の開閉移動時においては、原則として退避位置Ｑにある状態である。例えば第一扉２を開いた状態から閉じた状態に移動させると、退避位置Ｑにある回転仕切体４のカム溝４Ｍには、筐体１０１に設けられた駆動装置５の当接部５２が入る。
【００４７】
ここで、第一扉２を閉じる際に回転仕切体４がシール位置Ｐにある場合には、駆動装置５の当接部５２は、回転仕切体４のカム溝４Ｍを形成する庫内側壁部に当たって第二扉３が閉まらないという状態となりうる。
【００４８】
このため本実施形態の冷蔵庫１００の回転仕切体４は、図７及び図１１カム溝４Ｍを形成する庫内側壁部を構成するブロック体４１を有しており、当該ブロック体４１が、回転仕切体４の本体４２に対して上下移動可能に設けられている。
【００４９】
このブロック体４１は、その庫内側側面に傾斜面４１ｘを有している。また、ブロック体４１は、回転仕切体４の本体４２に対してコイルばね４３により上方に付勢されている。また、ブロック体４１及びその傾斜面４１ｘは、回転仕切体４がシール位置Ｐにある状態で閉じられた場合に、駆動装置５の当接部５２が当接部案内孔５４２のどの位置にあっても当接するように、その幅が設定されている。
【００５０】
この構成により、シール位置Ｐにある回転仕切体４が当接部５２に当たった場合には、図１２に示すように、ブロック体４１の傾斜面４１ｘに当接部５２が接触し、それによって、ブロック体４１は、下方に移動する。その後、第一扉２が閉じられると、当接部５２がカム溝４Ｍに到達するとともに、ブロック体４１はコイルばね４３により初期位置に戻る。
【００５１】
次にこのように構成した冷蔵庫１００において、第一扉２及び第二扉３の開閉動作に伴う、回転仕切体４、駆動装置５及び操作体６の動作態様について説明する。
【００５２】
（１）第一扉２が閉じられた状態で、第二扉３が閉じられる場合
第一扉２が閉じられた状態において、回転仕切体４は、通常退避位置Ｑにある（図２の下図参照）。また、駆動装置５のリンクアーム５３及びキャッチャ部５１が前方位置Ｒにある（図８参照）。
【００５３】
この状態で、第二扉３を閉じると、第二扉３の操作体６が駆動装置５のキャッチャ部５１の凹部５１Ｍに入り込み、キャッチャ部５１及びリンクアーム５３を後方位置Ｓに移動させる（図９参照）。このリンクアーム５３の移動に伴って、スイングアーム５６がガイド部５７にガイドされて、キャッチャ部５１はさらに回転して、凹部５１Ｍの開口方向が操作体６の移動方向から逸れる。また、リンクアーム５３の移動に伴って、当接部５２が移動して、回転仕切体４のカム溝４Ｍに沿って移動して回転仕切体４を退避位置Ｑからシール位置Ｐに移動させる。これにより、回転仕切体４が第一扉２及び第二扉３の間の形成される隙間を閉塞する（図２の上図参照）。
【００５４】
（２）第一扉２及び第二扉３が閉じられた状態で、第二扉３を開ける場合
この場合、前記（１）とは逆の動作となる。つまり、第二扉３を開けると、操作体６がキャッチャ部５１を後方位置Ｓから前方位置Ｒに移動させるとともに、ばね部材５５の弾性復帰力によりリンクアーム５３が前方位置Ｒに移動する。このリンクアーム５３の移動に伴って、当接部５２が回転仕切体４のカム溝４Ｍを移動して、回転仕切体４がシール位置Ｐから退避位置Ｑに移動する。
【００５５】
（３）第一扉２及び第二扉３が閉じられた状態で、第一扉２を開ける場合
第一扉２及び第二扉３が閉じられた状態で、第一扉２を開けると、回転仕切体４は、カム溝４Ｍが固定された当接部５２をスライド移動することによって、シール位置Ｐから退避位置Ｑに移動する。そして、回転仕切体４は退避位置Ｑとなり、第一扉２は開けられる。
【００５６】
（４）第二扉３が閉じられた状態で、第一扉２が閉じられる場合
第二扉３が閉じられた状態において、駆動装置５のリンクアーム５３及びキャッチャ部５１が後方位置Ｓにある。なお、当接部５２は、本来であれば回転仕切体４をシール位置Ｐとする位置にある。
【００５７】
この状態で、第一扉２を閉じると、退避位置Ｑにある回転仕切体４のカム溝４Ｍに当接部５２が入り込み、カム溝４Ｍが当接部５２に案内されることによって回転仕切体４がシール位置Ｐに移動する。これにより、回転仕切体４が第一扉２及び第二扉３の間の形成される隙間を閉塞する。なお、カム溝４Ｍの開口部４Ｍ１は、当接部５２が当接部案内孔５４２のいずれの位置にあっても受け入れ可能なように形成されている。
【００５８】
（５）第一扉２が開いた状態で回転仕切体４がシール位置Ｐにある場合
回転仕切体４がシール位置Ｐにある状態で第一扉２を閉じると、駆動装置５の当接部５２の位置に関わらず、回転仕切体４のブロック体４１の傾斜面４１ｘが当接部５２に接触する。そして、ブロック体４１が下方に移動して、第一扉２が閉じられると、当接部５２が回転仕切体４のカム溝４Ｍ内に到達する。これにより、第一扉２及び第二扉３が閉じられた状態で、回転仕切体４が第一扉２及び第二扉３の間の形成される隙間を閉塞する。なお、その後の第一扉２又は第二扉３を開ける場合の動作は、上述した（２）及び（３）と同様である。
【００５９】
＜本実施形態の効果＞
このように構成した本実施形態の冷蔵庫１００によれば、操作体６の移動に伴うキャッチャ部５１の移動に連動して、キャッチャ部５１がリンクアーム５３に対して回転するので、キャッチャ部５１及び操作体６の係合を確実にすることができ、各部品の取り付けのばらつきや、操作体６が設けられた第二扉３の食品収納負荷の変化などにより、リンクアーム５３が回転する途中で操作体６がキャッチャ部５１から外れてしまうことを防止することができる。
【００６０】
また、リンクアーム５３が、キャッチャ部案内孔５４１及び当接部案内孔５４２を上方から覆うカバー部５３１ａ、５３１ｂを有しているので、駆動装置５の外観の見栄えを向上するとともに、指等が接触して生じるケガを防止して安全性を向上することができる。リンクアーム５３にカバー部５３１ａ、５３１ｂを一体形成することによって、駆動装置５の構成を簡単にできるという効果も奏する。
【００６１】
さらに、当接部５２を金属製の内芯要素５２１と樹脂製の外芯要素５２２とから構成しているので、金属製の内芯要素５２１により当接部５２の衝撃強度を確保しつつ、樹脂製の外芯要素５２２により当接部５２が移動することにより生じる作動音を低減することができる。また、樹脂製の外芯要素５２２を庫内側の樹脂部品の色と同色にすることにより見栄えを良くすることができる。
【００６２】
その上、キャッチャ部５１が、傾斜案内面５１１と、この傾斜案内面５１１の後方に弾性体５１３により突出する方向に付勢された係止爪５１２とを備えているので、キャッチャ部５１と操作体６との係合力を増すことができ、第二扉３を速く開閉させた場合であっても、キャッチャ部５１及び操作体６の係合が確実となり信頼性を向上させることができる。
【００６３】
操作体６が第二扉３の回転方向に直交する方向に移動可能に設けられているので、キャッチャ部５１と操作体６との左右方向の寸法変化にも追従した確実な係合を可能にすることができる。
【００６４】
なお、本発明は前記各実施形態に限られるものではない。
【００６５】
例えば、前記実施形態の構成に加えて、当接部がスライド長孔を上方又は下方から覆うフランジ部を有する構成としても良い。この構成より、駆動装置の外観の見栄えを向上するとともに、指等が接触して生じるケガを防止して安全性を向上することができる。
【００６６】
また、前記実施形態では、キャッチャ部５１は、操作体６に押されることにより、リンクアーム５３の回転方向に更に回転するように構成しているが、リンクアーム５３の回転方向とは逆方向に回転するように構成しても良い。
【００６７】
さらに、前記実施形態では、キャッチャ部５１の移動及び当接部５２の移動を１つのリンクアーム５３で連動させる構成であったが、２つ以上のリンクアームにより連動させる構成としても良い。
【００６８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６９】
１００・・・冷蔵庫
１０１・・・筐体
１０１ｘ・・・開口部
２・・・第一扉
３・・・第二扉
４・・・回転仕切体
Ｐ・・・シール位置
Ｑ・・・退避位置
４Ｍ・・・カム溝
４Ｍ１・・・カム溝の開口部
４１・・・ブロック体
４１ｘ・・・傾斜面
５・・・駆動装置
６・・・操作体
５１・・・キャッチャ部
５１Ｍ・・・凹部
５１１・・・傾斜案内面
５１２・・・係止爪
５１３・・・弾性体
５２・・・当接部
５２１・・・内芯要素
５２２・・・外芯要素
５３・・・リンクアーム
５３１・・・カバー部
５３ｂ１・・・スライド長孔
５４・・・ケース
５６・・・スイングアーム
５７・・・ガイド部
５４１・・・キャッチャ部案内孔
５４２・・・当接部案内孔
【図１】
2018054177.tif 000003
【図２】
2018054177.tif 000004
【図３】
2018054177.tif 000005
【図４】
2018054177.tif 000006
【図５】
2018054177.tif 000007
【図６】
2018054177.tif 000008
【図７】
2018054177.tif 000009
【図８】
2018054177.tif 000010
【図９】
2018054177.tif 000011
【図１０】
2018054177.tif 000012
【図１１】
2018054177.tif 000013
【図１２】
2018054177.tif 000014